(57)【要約】【課題】傾斜の大きいスタッカで、カール方向が一定でないシート紙を用いた場合であっても記録紙後側の左右端がスタッカ側面へ引っ掛かることを防止する。【解決手段】デジタル複写機やファクシミリ等の、原稿読取部と、スキャナーやパソンコンから送られてくる画像データを記録用紙に印字する記録部を備えた装置であって、排出された記録紙を複数枚積載するための記録紙スタッカの排出ローラ側に備え付けられる側面に、リブを設ける。このリブは記録紙が主走査方向上側（排出される記録紙の左右両端が上側）にカールした場合でも記録紙後側が排出口からスタッカに落下する間に記録紙を前方へ押し出す。【選択図】図１
2008265991.tif 000002
【特許請求の範囲】
【請求項１】
原稿を読み取り、画像情報を取得する原稿読取部と、前記原稿読取部が読み取った画像情報や、送信されてきた画像情報を記録用紙に印字する記録部とを備えた複写装置に取り付けられ、排出された記録紙を積載する記録紙スタッカであって、
前記複写装置に取り付けた場合に前記記録紙の排出される側となる側面部分に、前記記録紙の排出方向に対して垂直に突出形成されたリブを備えることを特徴とする記録紙スタッカ。
【請求項２】
請求項１に記載の記録紙スタッカであって、
記録紙スタック面が、前記複写装置の記録紙排出口よりも高い位置に設けられていることを特徴とする記録紙スタッカ。
【請求項３】
請求項１又は２に記載の記録紙スタッカであって、
前記垂直に突出形成されたリブが複数列であることを特徴とする記録紙スタッカ。
【請求項４】
請求項１乃至３の何れか１項に記載の記録紙スタッカであって、
前記複写装置の原稿読み取り部の上に備え付けられることを特徴とする記録紙スタッカ。
【請求項５】
請求項１乃至３の何れか１項に記載の記録紙スタッカであって、
前記排出される記録紙が、排出される方向を前側、排出される方向の逆側を後側、とした場合に、左右両端が上側にカールしている記録紙であることを特徴とする記録紙スタッカ。
【請求項６】
原稿を読み取り、画像情報を取得する原稿読取部と、原稿読取部が読み取った画像情報や、送信されてきた画像情報を記録用紙に印字する記録部とを備えた複写装置であって、
請求項１乃至５の何れか１項に記載の記録紙スタッカを備えることを特徴とする複写装置。
【請求項７】
請求項６に記載の複写装置であって、上から下に、前記記録紙スタッカ、前記原稿読取部装置、前記記録部の順番で備えていることを特徴とする複写装置。
【発明の詳細な説明】
【技術分野】
【０００１】
本発明はデジタル複写機やファクシミリ等の記録紙スタッカに関し、より詳細には、傾斜が大きい記録紙スタッカにおける、記録紙の積載に関する。
【背景技術】
【０００２】
従来からデジタル複写機やファクシミリ等の、原稿を読み取り画像情報を取得する、原稿読取部と、原稿読取部が読み取った画像情報や、パソコンから送られてきた画像データを、記録用紙に印字する記録部とを備えた装置であって、排出された記録紙を複数枚積載するためのスタッカを更に備えている複写装置がある。
【０００３】
前記の複写装置では記録部の上に記録紙スタッカがあり、その更に上方に原稿読み取り部が配置されていた。
【０００４】
このような構成の場合、排出された記録紙の上方を原稿読み取り部が覆ってしまうこととなる。
【０００５】
よって、記録紙の有無の確認や、記録紙の取り出しの容易性を考慮すると、記録紙有無の確認や取り出しのために、記録紙が目視可能なスペースを設ける必要があった。
【０００６】
もっとも、装置全体のコンパクト化を図るという観点からは、前記のスペースを削除することが有効である。
【０００７】
そのため、記録部の上に原稿読み取り部を設け、更にその上方に記録紙排出口を設けて、記録紙を排出するという構成がとられている。
【０００８】
また、記録紙排出口の高さを抑えることも、装置のコンパクト化のためには不可欠である。
【０００９】
そのため、排出された記録紙を複数枚積載するためのスタッカの形状を、記録紙排出口下部の、記録紙が排出される方向の後側となる部分を、前側となる部分よりも低くし、傾斜を設けるという構成が取られている。
【００１０】
このような構成を取ることで、記録紙排出口の高さを抑えながらも積載可能枚数を確保出来ることとなる。
【００１１】
もっとも、記録紙排出口の高さを低くすることにより装置高を抑えることは出来るが、スタッカの傾斜が大きくなる。
【００１２】
スタッカの傾斜が大きくなった場合であって、記録紙が主走査方向上側（排出される記録紙の左右両端が上側）にカールしている場合でも、記録紙前側のスタック面が記録紙排出口よりも低ければ記録紙後側の左右端がスタッカ側面と接触することは少ない。
【００１３】
そして、たとえ記録紙後側の左右端がスタッカ側面と接触したとしてもスタッカへの押圧力は小さいため引っ掛かってしまうようなことはない。
【００１４】
しかしながら、スタッカの傾斜が大きくなり記録紙前側のスタック面は記録紙排出口よりも高い位置となってしまうと、記録紙が排出される際には記録紙後側の左右端が排出ローラよりも後方になってしまう。
【００１５】
よって、記録紙後側の左右端がスタッカ側面に強く接触し引っ掛かってしまうという不具合が発生しやすくなるという問題があった。
【００１６】
更に、排出された記録紙がスタッカに落下し積載される間にもスタッカの傾斜により記録紙に対し、排出ローラ側へ押し戻す力が加わることもあり、前記の記録紙後側の左右端がスタッカ側面に強く接触し引っ掛かってしまうという問題は頻繁に生じていた。
【００１７】
このような、カールぐせで丸まっている記録紙の後端に、次の記録紙の先端が引っ掛かり、先に排出されていた記録紙を押し出してしまい、正常にスタックされないという不具合に対して、コピー押さえ部材を追加したものがあった（例えば特許文献１参照）。
【特許文献１】特開平０１−０１７７５０号公報
【発明の開示】
【発明が解決しようとする課題】
【００１８】
しかし、特許文献１に記載の従来技術は、カール方向が同じであるロール紙に対しては有効であるが、カール方向が一定でないシート紙には効果がなかった。
【００１９】
また、排出口に記録紙押さえ部材を設ける場合は、押さえる部材の重さの調整が難しかった。
【００２０】
なぜなら、記録紙の後端を押さえる部材が軽いものであると落下させる効果が少なくなってしまう。
【００２１】
一方、記録紙の後端を押さえる部材が重いものであると記録紙の排出を妨げることになる。
【００２２】
つまり、複数のサイズや異なる製品の記録紙の、全てに対して効果を持たせることが難しいという問題があった。
【００２３】
そこで、本発明は傾斜の大きいスタッカで、カール方向が一定でないシート紙を用いた場合であっても、カールぐせで丸まっている記録紙の後端に次の記録紙の先端が引っ掛かるという不具合を解消し、正常に記録紙をスタックすることが可能な記録紙スタッカを提供することを目的とする。
【課題を解決するための手段】
【００２４】
本発明の第１の観点によれば、原稿を読み取り、画像情報を取得する原稿読取部と、原稿読取部が読み取った画像情報や、送信されてきた画像データを記録用紙に印字する記録部とを備えた複写装置に取り付けられ、排出された記録紙を積載する記録紙スタッカであって、前記複写装置に取り付けた場合に前記記録紙の排出される側となる側面部分に、前記記録紙の排出方向に対して垂直に突出形成されたリブを備えることを特徴とする記録紙スタッカが提供される。
【００２５】
本発明の第２の観点によれば、原稿を読み取り、画像情報を取得する原稿読取部と、原稿読取部が読み取った画像情報や、送信されてきた画像データを記録用紙に印字する記録部とを備えた複写装置であって、上記の記録紙スタッカを備えることを特徴とする複写装置が提供される。
【発明の効果】
【００２６】
本発明によれば、スタッカの傾斜が大きい場合においても排出された記録紙の後側の左右端がスタッカ側面へ引っ掛かることを防止し、スタッカ上にと整列した状態で積載することが可能となる。
【発明を実施するための最良の形態】
【００２７】
次に、本発明の最良の形態について図面を用いて説明する。
【００２８】
まず、本実施形態の構成について説明する。図１は、本発明の実施形態である記録紙スタッカ１を搭載した複写装置の外観斜視図である。
【００２９】
本実施形態では、複写装置が、記録紙スタッカ１と、リブ２と、記録紙排出口３と、排出ローラ５を備える。
【００３０】
また図２は、本実施形態の記録紙スタッカ１の外観斜視図である。記録紙スタッカ１の排出ローラ５側に備え付けられる側面を、スタッカ側面６とする。そして、スタッカ側面６には、垂直方向にリブ２が設けられている。
【００３１】
ここで、本実施形態では、リブ２が、４本設けられている場合を想定しているが、本発明の実現のためには必ずしも４本である必要はない。
【００３２】
リブの本数は記録紙のサイズや材質等に応じて、任意に選択することが可能である。
【００３３】
図３は、記録紙４が主走査方向上側（排出される記録紙の左右両端が上側）にカールした状態を表した斜視図である。
【００３４】
図４は、図３で示した記録紙４が、傾斜の大きいスタッカに排出される際の状態を示した図である。複写装置正面方向から見た場合の、記録紙の稜線が表されている。
【００３５】
ここで、記録紙後側の稜線を見ると、左右両端が中央部よりも後方に突出していることがわかる。
【００３６】
次に、本実施形態の動作について説明する。
【００３７】
図１に記載の、記録紙スタッカを搭載した装置の記録部で印字された記録紙４は、記録紙排出口３から排出される。
【００３８】
具体的には、記録紙４は記録紙排出口３に設けられている排出ローラ５から押し出される。
【００３９】
排出ローラ５から押し出された記録紙４は、記録紙スタッカ１に落下する際に、後側をリブ２の先端に接触しつつ、リブの先端に沿って前方へ押し出されながら落下していくこととなる。
【００４０】
次に、記録紙４が落下する際の動作について、図５、図６及び図７用いて本実施形態を用いない場合の動作と、本実施形態を用いた場合の動作を比較する。
【００４１】
図５、図６及び図７は従来の課題と本発明による解決手段を含めた比較用の図である。
【００４２】
図５はスタック面が記録紙排出口３よりも低い装置である場合を想定する。
【００４３】
また、記録紙４は、図３及び図４で示した様に主走査方向上側（排出される記録紙の左右両端が上側）にカールしている場合を想定する。
【００４４】
なお、図６及び図７の説明でも記録紙４は同様にカールしているものと想定する。
【００４５】
図５の場合は、記録紙４がカールしていても、排出された記録紙４はスタッカ１の積載面と並行に排出されているので、図４で示したような後側の左右端が、後側中央部と比較して、後側に傾斜するという状態にならない。
【００４６】
よって、記録紙スタッカ１に落下する際、記録紙４の後側の左右端がスタッカ側面６に引っ掛かることはない。
【００４７】
図６は記録紙スタック面が記録紙排出口３よりも高い装置であり、本実施形態を用いない場合の動作を説明するものである。
【００４８】
図３の場合、排出口３から排出ローラ５により排出された記録紙４は、図４で示したように後側の左右端が、後側中央部と比較して、後側に傾斜するという状態になる。
【００４９】
よって、記録紙４が記録紙スタッカ１に落下する際、記録紙４後側の左右端が、スタッカ側面６と接触するため、引っ掛かってしまうことがある。
【００５０】
そして、引っかかることにより記録紙が正常な積載位置に落下せず、記録紙が整列した状態では、積載されないこととなってしまう。
【００５１】
図７は、図６と同様、記録紙スタック面が記録紙排出口３よりも高い装置であり、更に本実施形態を用いたリブ２が設けられている装置を表している。
【００５２】
リブ２を設けたことにより、記録紙４が記録紙スタッカ１に落下し、積載されるまでの間に、記録紙４の後端側がリブ２に接触することとなる。
【００５３】
そして、記録紙４は、前方へ押し出されながら、リブの頂点に沿って落下していく。
【００５４】
よって、記録紙４の後側の左右両端はスタッカ側面６に引っ掛かることはない。
【００５５】
次に、本実施形態の効果について説明する。
【００５６】
上記の動作の説明で記載した様に、記録紙４の後側はリブ２に接触し、前方へ押し出されながら落下していく。
【００５７】
これにより、リブを設けていない図６に記載の記録紙スタッカと異なり、記録紙４の後側の左右両端はスタッカ側面６に引っ掛かることなくスタッカ１へ積載されることが可能となる。
【００５８】
このため、引っかかることにより記録紙が正常な積載位置に落下せず、記録紙が整列した状態で、積載されないこととなってしまうという問題を回避することができ、本発明の課題を解決することができる。
【００５９】
また、本実施形態は、記録紙スタッカにリブを設けるのみで実現することが可能である。よって、低コストに実現することができるという効果も有る。
【図面の簡単な説明】
【００６０】
【図１】本発明の記録紙スタッカを搭載した装置の外観斜視図である。
【図２】本発明実施形態のひとつである、リブが４本設けられている記録紙スタッカの外観斜視図である。
【図３】主走査方向上側（排出される記録紙の左右両端が上側）にカールした状態の記録紙の斜視図である。
【図４】図３の記録紙が傾斜の大きいスタッカに排出される際の状態を装置正面方向から見た記録紙の稜線を表した図である。
【図５】従来の課題と本発明による解決手段を含めた比較のための図である。
【図６】従来の課題と本発明による解決手段を含めた比較のための図である。
【図７】従来の課題と本発明による解決手段を含めた比較のための図である。
【符号の説明】
【００６１】
１  記録紙スタッカ
２  リブ
３  記録紙排出口
４  記録紙
５  排出ローラ
６  スタッカ側面
【図１】
2008265991.tif 000003
【図２】
2008265991.tif 000004
【図３】
2008265991.tif 000005
【図４】
2008265991.tif 000006
【図５】
2008265991.tif 000007
【図６】
2008265991.tif 000008
【図７】
2008265991.tif 000009